(57)【要約】【課題】  食しても安全、長期に渡って室温にて安定に保存可能、かつ、所定温度で作動する温度管理媒体を提供する。【解決手段】  常温にて液状で、かつ、所定温度まで冷却すると凝固する乳化液１１を備え、乳化液１１は昇温により融解し、相分離する温度管理媒体１０において、乳化液１１を、水、油脂およびリン脂質を含む脂質混合物からなるものとする。【選択図】        図１
2006153701.tif 000002
【特許請求の範囲】
【請求項１】
常温にて液状で、かつ、所定温度まで冷却すると凝固する乳化液を備え、該乳化液は昇温により融解し、相分離する温度管理媒体であって、
前記乳化液は、水、油脂およびリン脂質を含む脂質混合物からなることを特徴とする温度管理媒体。
【請求項２】
前記脂質混合物はレシチンおよびリゾレシチンが主成分であることを特徴とする請求項１に記載の温度管理媒体。
【請求項３】
前記油脂はトリアシルグリセロールを主成分とし、前記所定温度前後で凝固する食用油脂であることを特徴とする請求項１に記載の温度管理媒体。
【発明の詳細な説明】
【技術分野】
【０００１】
本発明は、物品が一旦、冷蔵温度の雰囲気中に曝され、その後、これより高い温度の雰囲気中に曝されたか否かという温度履歴を容易に確認することができる温度管理媒体に関する。
【背景技術】
【０００２】
近年、冷凍あるいは冷蔵した状態で配送される荷物が一段と増加するに伴って、これらの荷物を配達先まで予め決められた温度に保ちながら運搬する宅配便などの配送手段が普及している。このような配達手段を用いて荷物を配送すると、例えば、集荷元の冷凍・冷蔵施設から配送車へ荷物を積み込む時、配送車間で荷物を積み替える時、配送車から荷物を取り出し配達先へ配達する時などに、本来ならば冷凍・冷蔵状態が保たれなければならない荷物が、直射日光による高温雰囲気や室温雰囲気に曝されることがある。
【０００３】
また、無事に冷凍・冷蔵状態が保たれながら配達先に届けられた後も、荷物の冷凍・冷蔵状態が保たれることが求められる。荷物の中身が食品や医薬品である場合、これらの冷凍・冷蔵状態が保たれないと、これらに変質や雑菌の繁殖などが生じて、その品質が損なわれるおそれがある。極端な場合、食品や医薬品の冷凍・冷蔵状態が保たれないと、食中毒や医療事故などを誘発しかねない。このような厳格な温度管理が求められるものとしては、食品や医薬品の他に、化学分野や写真分野で用いられる各種薬品などが挙げられる。
【０００４】
従来、上述のような温度管理が正常に行われているか否かを簡便に確認する方法として、以下に示す方法が提案されている。
例えば、特許文献１には、脂溶性色素を溶解した炭素数７〜１５の高級アルコールの１種または２種以上が、非イオン系界面活性剤および水に分散されてなる乳化液（エマルション）を、密封容器に充填してなる保存温度管理用インジケータが開示されている。この保存温度管理用インジケータは、通常の温度条件下では、外観上は、乳化液の色素の色調が抑えられ、不透明な乳濁色を呈している。一方、この保存温度管理用インジケータが、乳化液が氷結する温度以下に曝されると、一旦、乳化液の全成分が凝固するが、乳化液が再び融解するとき、粗大化した乳化粒子は浮上し、色素の濃い色調を有した油滴または油層が上層へ浮上し、水層と、油滴または油層とに分離する。よって、このような変化が認められた保存温度管理用インジケータを含む包装内の物品は劣化している恐れがあるとして使用時に注意を促すことができる。
【０００５】
また、特許文献２には、室温で液状の、保存管理温度を超えると溶融する油性物質を非イオン界面活性剤および水によってエマルション化してなるＯ／Ｗ型エマルション層と、上記油性物質のみを選択的に拡散透過する、油溶性色素をエマルション層と反対面に設けてなる障壁と、油性物質を拡散透過する不透明層とを密封容器に順次設けてなる保存温度管理用インジケータが開示されている。この保存温度管理用インジケータは、Ｏ／Ｗ型エマルション層が、一旦、氷点下にて凍結した後、解凍する際に、水と油性物質とに相分離し、この油性物質のみが障壁を拡散透過して、障壁の上に設けられた油溶性色素を溶かし、さらに油溶性色素の上の不透明層を拡散透過して発色または着色する。これにより、厳格な温度管理を必要とする物品に異常があったことを肉眼で容易に検知することができる。
【０００６】
上述した従来の方法には、以下に示すような課題があった。
１つには、環境ホルモンであることが知られている非イオン性界面活性剤を使用することから、上記の保存温度管理用インジケータを食品や医薬品などに貼付して用いる場合、その安全性を確保することが難しい。例えば、意識せずに上記のような乳化液が充填されている密封容器を破損すると、乳化液が皮膚、食品、薬品などに付着するおそれがある。乳化液が皮膚に付着すると、その非イオン性界面活性剤が皮膚から体内に吸収されて健康を害するおそれがある。また、乳化液が食品や薬品に付着すると、その食品や薬品を誤って飲み込んだ結果、非イオン性界面活性剤が体内に吸収されて健康を害するおそれがある。
【０００７】
また、従来の温度管理用インジケータは、室温にて保存可能な期間が数日〜６ヶ月程度と短く、長期に渡って室温にて安定に保存することができないという問題があった。
【特許文献１】特開昭５７−３７２２７号公報
【特許文献２】特開平５−１４９７９７号公報
【発明の開示】
【発明が解決しようとする課題】
【０００８】
本発明は、前記事情に鑑みてなされたもので、食しても安全、長期に渡って室温にて安定に保存可能、かつ、所定温度で作動する温度管理媒体を提供することを目的とする。
【課題を解決するための手段】
【０００９】
本発明は、上記課題を解決するために、常温にて液状で、かつ、所定温度まで冷却すると凝固する乳化液を備え、該乳化液は昇温により融解し、相分離する温度管理媒体であって、前記乳化液は、水、油脂およびリン脂質を含む脂質混合物からなる温度管理媒体を提供する。
【００１０】
かかる構成によれば、温度管理媒体は、乳化液が所定温度以下にて凝固し、乳化液が再び所定温度を超える温度に昇温することにより融解し、相分離して、一旦、相分離したら二度と元の乳化液には戻らないから、この相分離した状態を、光学的に識別することで、この温度管理媒体が貼付された荷物が、設定した以上の高温に曝されたか否かを判別できる。また、温度管理媒体は、１年以上室温保存しても、乳化液が相分離することなく、安定に分散状態（エマルションの形態）を保つことができる。また、人体に悪影響を及ぼすことのない、水、油脂およびリン脂質を含む脂質混合物から構成されているから、意識せずに乳化液が皮膚、食品、薬品に付着し、その結果、乳化液が体内に入っても、健康を害することはない。
【００１１】
上記構成の温度管理媒体において、前記脂質混合物はレシチンおよびリゾレシチンが主成分であることが好ましい。
【００１２】
かかる構成によれば、乳化液が、界面活性剤のレシチンおよびリゾレシチンを含むから、１年以上室温にて安定に保存することができる。
【００１３】
上記構成の温度管理媒体において、前記油脂はトリアシルグリセロールを主成分とし、前記所定温度前後で凝固する食用油脂であることが好ましい。
【００１４】
かかる構成によれば、乳化液が所定温度以下にて凝固し、乳化液が再び所定温度を超える温度に昇温することにより融解し、相分離して、一旦、相分離したら二度と元の乳化液には戻らない。
【発明の効果】
【００１５】
本発明の温度管理媒体は、乳化液が、水、油脂およびリン脂質を含む脂質混合物からなるから、１年以上室温にて安定に保存することができる。すなわち、温度管理媒体は、１年以上室温保存しても、乳化液が相分離することなく、安定に分散状態（エマルションの形態）を保つことができる。また、乳化液が、人体に悪影響を及ぼすことのない、水、油脂およびリン脂質を含む脂質混合物から構成されているから、意識せずに乳化液が皮膚、食品、薬品に付着し、その結果、乳化液が体内に入っても、健康を害することはない。
さらに、本発明の温度管理媒体によれば、乳化液が所定温度以下にて凝固し、乳化液が再び所定温度を超える温度に昇温することにより融解し、相分離して、一旦、相分離したら二度と元の乳化液には戻らないから、この相分離した状態を、光学的に識別することで、この温度管理媒体が貼付された荷物が、設定した以上の高温に曝されたか否かを判別できる。したがって、本発明の温度管理媒体によれば、宅配便などで配送される荷物の温度管理を簡易に行うことができる。
【発明を実施するための最良の形態】
【００１６】
以下、本発明を実施した温度管理媒体について詳細に説明する。
【００１７】
図１は、本発明に係る温度管理媒体の一実施形態を示す概略正面図であり、（ａ）は密閉容器内に収容された乳化液を、（ｂ）は密閉容器内に収容された乳化液が水相と油相に相分離した状態をそれぞれ表している。
図１中、符号１０は温度管理媒体、１１は密閉容器、１２は乳化液、１３は水相、１４は油相をそれぞれ示している。
【００１８】
この実施形態の温度管理媒体１０は、乳化液１１と、密閉容器１２とから概略構成されており、乳化液１１が密閉容器１２内に収容され、この密閉容器１２が密閉されてなるものである。
【００１９】
乳化液１１は、水、油脂およびリン脂質を含む脂質混合物から構成されるエマルションである。この乳化液１１は、水または油脂のいずれか一方が分散媒（連続相）をなし、他方が分散相（不連続相）をなしており、リン脂質を含む脂質混合物が界面活性剤として機能し、水または油脂のいずれか一方が他方に微粒子状に分散している。また、乳化液１１は、分散媒（連続相）が水で、分散相（不連続相）が油脂の場合、水中油滴型（Ｏｉｌ  ｉｎ  Ｗａｔｅｒ型：Ｏ／Ｗ型）エマルションをなし、一方、分散媒（連続相）が油脂で、分散相（不連続相）が水の場合、油中水滴型（Ｗａｔｅｒ  ｉｎ  Ｏｉｌ型：Ｗ／Ｏ型）エマルションをなす。
【００２０】
乳化液１１において、水と油脂の割合（水：油）は、目的とする温度管理媒体１０の作動温度（乳化液１１の凝固する温度）範囲に応じて適宜調整されるが、５：９５（ｗｔ：ｗｔ）〜９５：５（ｗｔ：ｗｔ）が望ましく、１０：９０（ｗｔ：ｗｔ）〜６０：４０（ｗｔ：ｗｔ）が好ましく、１５：８５（ｗｔ：ｗｔ）〜３０：７０（ｗｔ：ｗｔ）が特に好ましい。
【００２１】
乳化液１１を構成する水としては、特に限定されず、如何なる水でも用いられるが、レシチンおよびリゾレシチンへの影響を考慮すると、イオン交換水や蒸留水が好適に用いられる。
【００２２】
油脂としては、融点が０℃以上または０℃以下であり、かつ、室温（約２３℃）付近にて界面活性剤を用いて水とともに乳化液１１を構成し、一旦、所定温度以下、例えば、０℃〜室温以下に曝された後、再び所定温度を超える温度に昇温することにより水と相分離するものが挙げられる。このような油脂としては、例えば、トリアシルグリセロール（ＴＡＧ）、ジアシルグリセロール（ＤＡＧ）、モノアシルグリセロール（ＭＡＧ）などの油脂を主成分とする食用油脂が挙げられる。乳化液１１では、これらの油脂から選択される１種または２種以上が、目的とする温度管理媒体１０の作動温度（乳化液１１１が凝固する温度）範囲に応じて適宜用いられる。また、融点が０℃以上の油脂と、融点が０℃以下の油脂とを適宜の割合で混合して用いるか、あるいは、融点が０℃以上の油脂または融点が０℃以下の油脂のいずれか一方を適宜用いることにより、温度管理媒体１０の作動温度範囲を所望の温度範囲に制御することができる。
なお、本発明では、所定温度とは、−６０℃以上、＋２０℃以下の範囲の温度をいう。
【００２３】
また、リン脂質を含む脂質混合物としては、レシチンおよびリゾレシチンを主成分とするものが挙げられる。
【００２４】
レシチンは、乳化液１１において、水または油脂のいずれか一方を他方に微粒子状に分散させるための界面活性剤として機能する。レシチンとしては、下記の一般式（１）で表される大豆レシチン、下記の一般式（５）〜（８）で表される卵黄リン脂質を含む卵黄レシチン、魚介類由来のレシチンなどが挙げられる。
【００２５】
【化１】
2006153701.tif 000003
【００２６】
上記の一般式（１）中、Ｒ１、Ｒ２は飽和および不飽和炭化水素から構成される。また、Ｂは塩基を表している。
例えば、Ｂが下記の式（２）で表される塩基である場合、上記の一般式（１）で表される大豆レシチンはホスファチジルコリン、Ｂが下記の式（３）で表される塩基である場合、上記の一般式（１）で表される大豆レシチンはホスファチジルエタノールアミン、Ｂが下記の式（４）で表される塩基である場合、上記の一般式（１）で表される大豆レシチンはホスファチジルイノシトール、Ｂが水素原子である場合、上記の一般式（１）で表される大豆レシチンはホスファチジン酸である。
【００２７】
【化２】
2006153701.tif 000004
【００２８】
【化３】
2006153701.tif 000005
【００２９】
【化４】
2006153701.tif 000006
【００３０】
【化５】
2006153701.tif 000007
【００３１】
【化６】
2006153701.tif 000008
【００３２】
【化７】
2006153701.tif 000009
【００３３】
【化８】
2006153701.tif 000010
【００３４】
大豆レシチンは、上記の式（１）に示すように、２つの脂肪酸基と、１つの塩基を有している。大豆レシチンは天然の乳化剤であり、抗酸化作用、離型作用、分散作用、起泡・消泡作用、保水作用、蛋白質・澱粉との結合作用、チョコレートの粘度低下作用など多岐にわたる性質を兼ね備えている。また、大豆レシチンは、大豆を抽出した大豆粗油を濾過後、約２％の温水を加え攪拌し、ガム状となって油層から分離したものを乾燥することにより得られる。さらに、大豆レシチンは、安価で大量供給が可能であり、精製度合いによって様々な状態で得ることができるという特長を備えているので、使用条件によって種類を選択できる。
【００３５】
卵黄レシチンは、鶏卵の卵黄は水分４８％、蛋白質１６％、脂質３３％からなるが、この脂質中に３０％含まれる成分がリン脂質である。また、卵黄の脂質は中性脂肪６５％、リン脂質３０％、コレステロール４％から構成されている。また卵黄リン脂質は、上記の式（５）のホスファチジルコリン（Ｐｈｏｓｐｈａｔｉｄｙｌｃｈｏｌｉｎｅ）７０〜８０％、上記の式（６）のホスファチジルエタノールアミン（Ｐｈｏｓｐｈａｔｉｄｙｌｅｔｈａｎｏｌａｍｉｎｅ）１０〜１５％、上記の式（７）のスフィンゴミエリン（Ｓｐｈｉｎｇｏｍｙｅｌｉｎ）１〜３％、上記の式（８）のリゾホスファチジルコリン（Ｌｙｓｏｐｈｏｓｐｈａｔｉｄｙｌｃｈｏｌｉｎｅ）１〜２％から構成されている。
【００３６】
リゾレシチンは、上記のようなレシチンと同様に、乳化液１１において、水または食用油脂のいずれか一方を他方に微粒子状に分散させるための界面活性剤として機能する。リゾレシチンとしては、上記の一般式（１）で表される大豆レシチン、上記の一般式（５）〜（８）で表されるレシチンなどをリゾ化して、レシチンから脂肪酸が１個取れた構造をなすものが挙げられる。ここで、リゾ化とは、酵素であるＰｈｏｓｐｈｏｌｉｐａｓｅＡ２を用いて、レシチンが持つグリセリン基の第二位の脂肪酸を脱離させることをいう。
【００３７】
また、リゾレシチンは、は天然の乳化剤であり、抗酸化作用、離型作用、分散作用、起泡・消泡作用、保水作用、蛋白質・澱粉との結合作用、チョコレートの粘度低下作用など多岐にわたる性質を兼ね備えている。
【００３８】
乳化液１１において、リン脂質を含む脂質混合物の配合量は、油脂１００質量部に対して、０．１質量部以上、４０質量部以下が好ましく、１質量部以上、２０質量部以下がより好ましい。
【００３９】
リン脂質を含む脂質混合物の配合量が、油脂１００質量部に対して、０．１質量部未満では、乳化し難い。一方、リン脂質を含む脂質混合物の配合量が、油脂１００質量部に対して、４０質量部を超えると、水に油脂およびリン脂質が分散し難くなり、うまく乳化しない。
【００４０】
また、レシチンとリゾレシチンの配合割合は、目的とする温度管理媒体１０の作動温度（乳化液１１の凝固する温度）範囲に応じて適宜調整されるが、２０：８０（ｗｔ：ｗｔ）〜８０：２０（ｗｔ：ｗｔ）が好ましく、７０：３０（ｗｔ：ｗｔ）〜３０：７０（ｗｔ：ｗｔ）がより好ましい。
【００４１】
また、乳化液１１には、その凝固点を所望の温度範囲に調整するために、糖類や水溶性高分子を配合してもよい。糖類や水溶性高分子の種類、配合量などを変えることにより、乳化液１１の凝固点を所望の温度範囲に調整することができる。
【００４２】
糖類としては、例えば、フルクトース、グルコース、ガラクトース、マンノースなどの単糖類、麦芽糖、ショ糖、ラクトース、セルビオースなどの二糖類、スタキオース、ラフィノースなどのオリゴ糖類、ペクチン、ガラクタン、デンプン、アミロース、ブルラン、アラビアガム、ヒアルロン酸、コンドロイチン硫酸ナトリウム、カルボキシメツルキチンなどの多糖類が挙げられる。これらの中でも、凝固点調整の意味から分子量の分かっている、単糖類や二糖類が望ましい。
【００４３】
水溶性高分子としては、例えば、アルギン酸ナトリウム、セルロース誘導体（例えば、メチルセルロース、カルボキシメチルセルロース、ヒドロキシエチルセルロース、ヒドロキシプロピルセルロースなど）、ゼラチン、ポリアクリル酸サミド、ポリオキシエチレンオキサイド、ポリオキシプロピレンオキサイド、ポリビニルアルコール、カルボキシビニルポリマー、ポリビニルピロリドン、ポリビニルピロリドン−酢酸ビニル共重合体、酢酸ビニル−クロトン酸共重合体、ポリアクリル酸ナトリウム、イソブテン−無水マレイン酸共重合体、ビニルメチルエーテル−無水マレイン酸共重合体、無水マレイン酸、ポリアクリルアミド、ポリビニルエーテルなどが挙げられる。水溶性高分子は、重合度が大きくなると粘性が高くなり、乳化が困難となる傾向にあることから、重量平均分子量１００，０００以下のものを使用することが好ましい。
【００４４】
密封容器１２としては、乳化液１１を収容する部分（空間）を有し、乳化液１１が相分離した様子を光学的に確認できる材質からなるものが好ましく、ガラスやプラスチック、あるいは食して無害な材料が好適に用いられる。食して無害な材料としては、例えばプルラン、オブラート、ガム、アメなどが挙げられる。その形態としては、例えば管状、板状、フィルム状、球状などが挙げられる。なお、相分離を確認するだけならば、密封容器１２を、乳化液１１が相分離してなる水相１３と油相１４の境界付近のみ透明な材質とし、他は不透明な金属などからなる構成としてもよい。
【００４５】
特に、密閉容器１２として可撓性のフィルム状のものを用いた場合、荷物の外形に沿って温度管理媒体１０を貼付することができるばかりでなく、温度管理媒体１０に外力が加えられた際に密閉容器１２自体が柔軟に変形してその影響を回避することができるので望ましい。
【００４６】
また、乳化液１１の相分離によって、密閉容器１２内に収容されている液体の体積が変動してもその影響を受けないようにするために、例えば空気などの気体を密封容器１２内に封入しておいてもよい。なお、乳化液１１が液状ではなく高粘度物状などの形態をなす場合には、密封容器１２は必ずしも要しない。
【００４７】
また、密封容器１２を容易に荷物に貼付するため、密閉容器１２の表面に粘着剤からなる粘着シートが設けられていてもよい。
【００４８】
また、この実施形態の温度管理媒体１０は、密封容器１２内における乳化液１１の相分離を利用したものである。すなわち、温度管理媒体１０は、室温（約２３℃）近傍にて乳化液１１が安定かつ均一な白色の液体であり、乳化液１１が所定温度以下、例えば、０℃〜室温以下にて凝固し、乳化液１１が再び所定温度を超える温度（乳化液１１を構成する油脂、レシチンおよびリゾレシチンの融点を超える温度）に昇温することにより相分離して、図１（ｂ）に示すように透明な水相１３と、不透明な油相１４とに相分離して、一旦、相分離したら二度と元の乳化液には戻らない（非可逆）ことを利用したものである。このように相分離した状態を、例えば目視やセンサにより光学的に識別することで、この温度管理媒体１０が貼付された荷物が、設定した以上の高温に曝されたか否かを判別できる。しかも、乳化液１１の相分離は非可逆であるから、温度管理媒体１０が荷物から取り外されない限り、所定の温度以上の環境に曝されたことを隠すことはできない。したがって、この温度管理媒体１０によれば、宅配便などで配送される荷物の温度管理を簡易に行うことができる。
【００４９】
また、相分離後に透明となる水相１３の性質を利用する技術としては、目視あるいはセンサで水相１３を確認する際に、水相１３の向こう側に識別記号や文字を配置してその下地の情報を読み取ったり、または鏡面を設けることによって反射光を捉えて識別することで、相分離が生じたか否かを正確にかつ定量的に確認することも可能である。
【００５０】
この実施形態の温度管理媒体１０では、乳化液１１が、界面活性剤のレシチンおよびリゾレシチンを含み、レシチンは親油系界面活性剤として機能し、リゾレシチンは親水系界面活性剤として機能し、乳化させたときに、リゾレシチンによって、より細かい粒子が形成され、界面に界面活性剤が隙間なく配列することから、１年以上室温にて安定に保存することができる。すなわち、温度管理媒体１０は、１年以上室温保存しても、乳化液１１が相分離することなく、安定に分散状態（エマルションの形態）を保つことができるので、予め大量に生産しておき、必要に応じて適宜の数を用いることができる。
また、乳化液１１を３５〜４０℃の雰囲気下に３ヶ月曝し、熱加速試験を行っても、変化は見られない。また、乳化液１１は、約２３℃の雰囲気下に６ヶ月曝しても、変化することなく安定である。
【００５１】
また、乳化液１１は、人体に悪影響を及ぼすことのない、水、油脂、リン脂質を含む脂質混合物から構成されているから、意識せずに乳化液１１が皮膚、食品、薬品に付着し、その結果、乳化液が体内に入っても、健康を害することはない。よって、温度管理媒体１０は、食品や薬品などのパッケージに貼付したり、あるいは同梱して用いても、事故が発生するおそれがないことから、安全性が極めて高い。よって、本発明は、従来使用するのが難しかった分野も含めて幅広い分野において活用可能であり、かつ、包装を必ずしも要しないことから低コスト化も図れる温度管理媒体をもたらす。
【００５２】
また、油脂と、リン脂質を含む脂質混合物との組合せを適宜選択することにより、乳化液１１を高粘度物の形態とすることができる。このようにすれば、乳化液１１を密封容器１２などに内包させる必要がないので、乳化液１１のパッケージングなどが不要になることから、温度管理媒体を使用する際の自由度が向上する。
【００５３】
次に、この実施形態の温度管理媒体１０の製造方法の一例を説明する。
まず、水にリゾレシチンを溶解して、リゾレシチンの水溶液を調製する。
次いで、油脂にレシチンを溶解して、油脂混合液を調整する。なお、油脂を２種以上用いる場合、予めこれらを混合した後、この油脂の混合物にレシチンを溶解する。
次いで、攪拌しながら、リゾレシチンの水溶液に油脂混合液を少しずつ加えて、水または油脂のいずれか一方を他方に微粒子状に分散させて、乳化液１１を得る。
次いで、密閉容器１２内に乳化液１１を充填して、密閉容器１２を密閉し、温度管理媒体１０を得る。なお、この際、密閉容器１２の乳化液１１で満たされていない部分に、空気などの気体を封入してもよい。
【実施例】
【００５４】
以下、実施例により本発明をさらに具体的に説明するが、本発明は以下の実施例に限定されるものではない。
【００５５】
（実施例１）
水５０ｇに、リゾレシチン（商品名；ＳＬＰ−ホワイトリゾ、辻製油社製、）１０ｇを溶解して、リゾレシチンの水溶液を調製した。
油脂Ａ（融点−５℃、商品名；ココナードＲＫ、花王社製）３０ｇと油脂Ｂ（融点２０〜２６℃、商品名；ニッコールトリファットＣ−２４、日光ケミカル社製）１２０ｇを混合して油脂Ａと油脂Ｂの混合物を調整した。
この混合物１５０ｇに、大豆レシチン（ＷＡＫＯ社製）１０ｇを溶解して、油脂混合液を調整した。
次いで、攪拌しながら、リゾレシチンの水溶液に、油脂混合液を少しずつ加え、油脂混合液を全量加えた後、６０００ｒｐｍで５分間、室温にて攪拌することにより乳化させて乳化液を得た。
この乳化液をガラス製のサンプル瓶に入れて密封し、これを所定の温度（１）８〜９℃、（２）４〜５℃、（３）０〜１℃にて８時間以上放置した後、再び室温（約２３℃）まで昇温させて、その時の乳化液の状態（相分離の有無）を目視により確認した。この結果を表１に示す。表１において、○は乳化液の相分離が生じたことを、×は乳化液の相分離が生じなかったことを表している。
また、乳化液を３７℃の雰囲気に１ヶ月間曝して、乳化液の保存安定性を調べた。この結果を表１に示す。表１において、○は乳化液の色調に変化がなく安定であることを、×は乳化液の色調に変化があり不安定であることを表している。
【００５６】
（実施例２）
油脂Ｂ（商品名；ニッコールトリファットＣ−２４、日光ケミカル社製）１５０ｇに、大豆レシチン（ＷＡＫＯ社製）１０ｇを溶解して、油脂混合液を調整した以外は実施例１と同様にして、乳化液を得た。
また、実施例１と同様にして、この実施例２の乳化液の相分離の有無、および、保存安定性を調べた。この結果を表１に示す。
【００５７】
（実施例３）
油脂Ａ（商品名；ココナードＲＫ、花王社製）６０ｇと油脂Ｂ（商品名；ニッコールトリファットＣ−２４、日光ケミカル社製）９０ｇを混合して油脂Ａと油脂Ｂの混合物を調整し、この混合物１５０ｇに、大豆レシチン（ＷＡＫＯ社製）１０ｇを溶解して、油脂混合液を調整した以外は実施例１と同様にして、乳化液を得た。
また、実施例１と同様にして、この実施例３の乳化液の相分離の有無、および、保存安定性を調べた。この結果を表１に示す。
【００５８】
（実施例４）
油脂Ａ（商品名；ココナードＲＫ、花王社製）１５０ｇに、大豆レシチン（ＷＡＫＯ社製）１０ｇを溶解して、油脂混合液を調整した以外は実施例１と同様にして、乳化液を得た。
また、実施例１と同様にして、この実施例４の乳化液の相分離の有無、および、保存安定性を調べた。この結果を表１に示す。
【００５９】
（比較例）
油脂Ａ（商品名；ココナードＲＫ、花王社製）１５０ｇに、大豆レシチン（ＷＡＫＯ社製）２０ｇを溶解して、油脂混合液を調整した。
次いで、攪拌しながら、水５０ｇに、この油脂混合液を少しずつ加え、油脂混合液を全量加えた後、６０００ｒｐｍで５分間、室温にて攪拌することにより乳化させて乳化液を得た。
実施例１と同様にして、この比較例の乳化液の相分離の有無、および、保存安定性を調べた。この結果を表１に示す。
【００６０】
【表１】
2006153701.tif 000011
【００６１】
表１の結果から、実施例１〜実施例４のリゾレシチンおよび大豆レシチンを用いた乳化液は、一旦、冷蔵温度域に相当する温度０〜９℃に曝された後、再び室温に昇温すると、相分離することが確認された。また、実施例１〜実施例４の乳化液は６ヶ月以上の長期に渡って室温にて安定に保存することができることが確認された。
また、実施例１〜実施例４において、油脂Ａと油脂Ｂの混合割合を変えるか、あるいは、油脂Ａまたは油脂Ｂのいずれか一方を用いることにより、乳化液が相分離する温度を変化させることができることが確認された。
一方、比較例の大豆レシチンのみを用いた乳化液は、室温にて１ヶ月保存できなかった。また、油脂をココナードＲＫのみとしているので、温度管理媒体の起動温度（乳化液の凝固点）に達することがなく、結果として、常温に戻しても相分離しない。
【産業上の利用可能性】
【００６２】
本発明の温度管理媒体は、荷物の表面に貼付する従来の利用形態の他に、食品や薬品と同梱して用いる新たな形態にも利用できることから、食品や薬品の温度管理の状況を把握することにも利用できる。
【図面の簡単な説明】
【００６３】
【図１】本発明に係る温度管理媒体の一実施形態を示す概略正面図であり、（ａ）は密閉容器内に収容された乳化液を、（ｂ）は密閉容器内に収容された乳化液が水相と油相に相分離した状態をそれぞれ表している。
【符号の説明】
【００６４】
１０・・・温度管理媒体、１１・・・乳化液、１２・・・密閉容器、１３・・・水相、１４・・・油相。
【図１】
2006153701.tif 000012